(57)【要約】【課題】アンカーの打ち込みの作業に伴い、打ち込まれるアンカーの引き抜き強度を、アンカーごとに、効率的に予測できるようにし、その予測に基づいてアンカーの配置を決定し、例えば、防草シートを土壌に確実に係止できるようにする。【解決手段】電動ドリルを用いて、アンカーを打ち込むステップS104と、アンカーの打ち込み作業中の電動ドリルで消費される電流値を、打ち込みに要された時間と対応して計測するステップS105と、アンカーの打ち込み開始から打ち込み終了までに要する時間、および、計測された電流値の累積値の少なくとも一方を、予め定められた基準値と比較し、打ち込み位置に打ち込まれたアンカーの引き抜き強度を予測するステップS106を含み、電流値と打ち込みに要された時間に基づきアンカーの引き抜き強度を予測し、その予測に基づいた間隔でアンカーを打ち込んで防草シートを土壌に係止する。【選択図】図３
2015101920.tif 000002
【特許請求の範囲】
【請求項１】
アンカーの引き抜き強度の予測方法であって、
電動ドリルを用いて、アンカーを打ち込むステップと、
アンカーの打ち込み作業中の電動ドリルで消費される電流値を、打ち込みに要された時間と対応して計測するステップと、
アンカーの打ち込み開始から打ち込み終了までに要する時間、および、計測された電流値の累積値の少なくとも一方を、予め定められた基準値と比較し、打ち込み位置に打ち込まれたアンカーの引き抜き強度を予測するステップと
を含む上記のアンカーの引き抜き強度の予測方法。
【請求項２】
引き抜き強度を予測するステップが、
アンカーの打ち込みの終了によって、電動ドリルのモータの駆動が停止する終局時の電流のピーク値と、
アンカーの打ち込み中、計測された電流値のうち、モータ駆動開始時を除いた、予め定められた電流値以上の電流値の累積値である高負荷累積値と、
アンカーの打ち込みの開始によって、電動ドリルのモータの駆動が開始したときから、終局までの間に計測された電流値の累積値である全体累積値と、
上記の予め定められた電流値以上の電流値が計測された時間を示す高負荷維持時間と
を取得し、引き抜き強度を予測する
請求項１に記載のアンカーの、土壌に対する引き抜き強度の予測方法。
【請求項３】
アンカーが、防草シートを、土壌の表面に係止するために、土壌に打ち込まれる請求項１または２に記載のアンカーの引き抜き強度の予測方法。
【請求項４】
引き抜き強度の予測値Ｎが、下記式（１）によって特定される請求項３に記載のアンカーの引き抜き強度の予測方法：
【数１】
2015101920.tif 000007
なお、前記式（１）において、Ａはピーク値、Ｂは高負荷累積値、Ｃは全体累積値、Ｓは高負荷維持時間とする。
【請求項５】
予め定められた電流値が、３．０Ａである請求項２から４のいずれかに記載のアンカーの引き抜き強度の予測方法。
【請求項６】
請求項１から５のいずれかにかかるアンカーの引き抜き強度の予測方法によって予測された引き抜き強度が、予め定められた引き抜き強度以下の場合、その周囲に打ち込まれるアンカーの間隔を、予め定められた引き抜き強度を越えたアンカーの周囲に打ち込まれるアンカーの間隔より狭くし、予測された引き抜き強度に応じてアンカーを打ち込む密度を変更する、アンカーの打ち込み方法。
【発明の詳細な説明】
【技術分野】
【０００１】
本発明は、打ち込まれたアンカーの引き抜き強度、例えば、土壌の表面を覆う防草シートを土壌に係止するため、防草シートの上から土壌に打ち込まれるアンカーの引き抜き強度を予測する方法、および、アンカーの打ち込み方法に関する。
【背景技術】
【０００２】
土木や建設において、アンカーを打ち込む施工は、一般的である。
このような施工としては、例えば、防草シートのアンカーによる固定がある。
具体的に説明すると、橋梁下の遊休地や、舗装されていない路肩部のように、土壌が露出し、かつ、人や車両の通行がないか、少ない場所を放置すると、雑草が生い茂り、地盤が脆弱になったり、見通しが悪くなったりして、保守、保安上の問題が生じる。
このため、このような土壌の表面に対し、様々な雑草対策が提案されている。
この雑草対策の一つが、土壌の表面を防草シートで覆う施工である。
【０００３】
この場合、特開平６−２４８６５２に開示されているように、土壌の表面を覆う防草シートの上から、土壌に向けてアンカーを打ち込み、防草シートを土壌の表面に係止する。
このようなアンカーは、一般的に、電動ドリル、例えば、振動ドリルを用いて土壌に打ち込まれる。
【０００４】
このように、土壌の表面に、アンカーを介して防草シートを係止する場合、防草シートの係止状態は、アンカーが土壌から引き抜かれる際に必要な力の度合い、即ち、アンカーの土壌に対する引き抜き強度に依存する。
【０００５】
一方、アンカーが打ち込まれる土壌の性質は多様であって、同一エリアであっても、地盤の強さにはムラがある。
このため、アンカーを等間隔に打ち込んだ場合、土壌に対する防草シートの係止強度は、アンカーの引き抜き強度が弱い箇所では低下し、突風や強風により、防草シートが土壌の表面からまくれたり、剥離したりする恐れがある。
【０００６】
このようなまくれなどを防止するには、アンカーを打ち込む間隔を狭くしたり、打ち込む密度を高めたりする必要がある。
しかしながら、防草シートの剥離を防止するため、全てのアンカー同士の間隔を狭くすると、アンカーの引き抜き強度が高い場所では、不必要なアンカーを打ち込むことになり、施工コストが嵩むという問題がある。
【０００７】
この問題点に対処するためには、アンカーの引き抜き強度が低い場所において、限定的に、アンカーを打ち込む間隔を狭くしたり、打ち込む密度を高めたりすればよい。
しかしながら、従来、アンカーの引き抜き強度の見極めは、作業員の経験と勘に頼ることが多く、その施工結果、即ち、品質には、作業員の熟練度などによってバラツキが現れ、不必要に多量のアンカーを打ち込んでしまったり、防草シートの係止強度が不十分であったりという問題があった。
【０００８】
また、様々な計測機械を用い、予め、アンカーの打ち込み場所ごとに、土壌の性質や強度などを計測すれば、作業員の能力による品質のバラツキを抑制できるが、アンカーの打ち込み作業と共に、このような計測作業を並行して実施することは、施工上の負担が非常に大きく、また、施工期間が大幅に延びる原因にもなるため、現実的ではない。
【０００９】
また、従来は、アンカーの打ち込みに際し、作業効率を下げることなく、打ち込まれたアンカーの引き抜き強度を予測することはできなかったため、アンカーの打ち込み場所の状況に応じて、適切な密度でアンカーを過不足なく効果的に打ち込み、防草シートを一定の品質で簡単かつ確実に、低コストで土壌の表面に係止することはできなかった。
【先行技術文献】
【特許文献】
【００１０】
【特許文献１】特開平６−２４８６５２
【発明の概要】
【発明が解決しようとする課題】
【００１１】
本発明は、上記の問題を解決するためになされたものであって、アンカーの打ち込みの作業に伴い、打ち込まれるアンカーの引き抜き強度を、アンカーごとに、効率的に予測できるようにし、その予測に基づいて、アンカーが打ち込まれる対象の強度や性質に応じて打ち込まれるアンカーの配置を決定し、安定した施工品質を確保することを目的とする。
また、本発明は、アンカーによって、土壌の表面に防草シートを係止する場合、予測された引き抜き強度に応じて、アンカーを打ち込むパターンを決定することによって、土壌の表面に対する防草シートの係止強度を一定以上に保ち、防草シートの効果を最大限に引き出して、防草シートを土壌に確実に係止できるようにし、施工後の保守作業の負担を抑制することを目的とする。
【課題を解決するための手段】
【００１２】
上記目的を達成するため、本発明の第１発明に係るアンカーの引き抜き強度の予測方法は、
防草シートを、土壌の表面に係止するために、土壌に打ち込まれるアンカーの、土壌に対する引き抜き強度の予測方法であって、
電動ドリルを用いて、アンカーを土壌に打ち込むステップと、
アンカーの打ち込み作業中の電動ドリルで消費される電流値を、打ち込みに要された時間と対応して計測するステップと、
アンカーの打ち込み開始から打ち込み終了までに要する時間、および、計測された電流値の累積値の少なくとも一方を、予め定められた基準値と比較し、打ち込み位置に打ち込まれたアンカーの引き抜き強度を予測するステップと
を含むことを特徴とする。
【００１３】
また、第２発明に係るアンカーの、土壌に対する引き抜き強度の予測方法は、第１発明において、
引き抜き強度を予測するステップが、
アンカーの打ち込みの終了によって、電動ドリルのモータの駆動が停止する終局時の電流のピーク値と、
アンカーの打ち込み中、計測された電流値のうち、モータ駆動開始時を除いた、予め定められた電流値以上の電流値の累積値である高負荷累積値と、
アンカーの打ち込みの開始によって、電動ドリルのモータの駆動が開始したときから、終局までの間に計測された電流値の累積値である全体累積値と、
上記の予め定められた電流値以上の電流値が計測された時間を示す高負荷維持時間と
を取得し、引き抜き強度を予測する
ことを特徴とする。
【００１４】
また、第３発明に係るアンカーの、土壌に対する引き抜き強度の予測方法は、第２発明において、
引き抜き強度の予測値Ｎが、下記式（１）
【数１】
2015101920.tif 000003
によって特定されることを特徴とする。
なお、前記式（１）において、Ａはピーク値、Ｂは高負荷累積値、Ｃは全体累積値、Ｓは高負荷維持時間とする。
【００１５】
また、第４発明に係るアンカーの、土壌に対する引き抜き強度の予測方法は、第２または第３発明において、
予め定められた電流値が、３．０Ａである
ことを特徴とする。
【００１６】
また、上記目的を達成するため、本発明の第５発明に係るアンカーの打ち込み方法は、
第１発明から第４発明のいずれかにかかるアンカーの、土壌に対する引き抜き強度の予測方法によって予測された引き抜き強度が、予め定められた引き抜き強度以下の場合、その周囲に打ち込まれるアンカーの間隔を、予め定められた引き抜き強度を越えたアンカーの周囲に打ち込まれるアンカーの間隔より狭くし、予測された引き抜き強度に応じてアンカーを打ち込む密度を変更する
ことを特徴とする。
【発明の効果】
【００１７】
上記第１から第４発明では、アンカーの打ち込み作業に使用される電動ドリルで消費される電力の電流値を時間経過に対応させながら測定することによって、アンカーの打ち込み作業の実施と同時に、打ち込み作業以外の作業を実施することなく、打ち込まれるアンカーの引き抜き強度を予測することができ、土壌の状態を簡単かつ確実に、時間的なロスなしに、低コストで把握できるようになる。
【００１８】
また、上記第５発明では、予測された引き抜き強度を参考に、土壌の状態に対応して過不足なくアンカーを打ち込むことができるようになって、防草シートを一定の品質で簡単かつ確実に、低コストで土壌の表面に係止することができるようになる。
【図面の簡単な説明】
【００１９】
【図１】図１は本発明に係るアンカーの引き抜き強度の予測方法に用いられるシステムの実施例の構成を示す説明図である。
【図２】図２は図１のシステムによって打ち込まれたアンカーによる、防草シートの係止状態を示す部分断面図である。
【図３】図３は図１のシステムによるアンカーの打ち込みから予測処理に至る説明するフローチャートである。
【図４】図４は図１のシステムによって、引き抜き強度を予測する処理を説明するフローチャートである。
【図５】図５は図１のシステムによって、引き抜き強度が異なる３地点で得られた電流値の推移を示すグラフである。
【図６】図６は図５のグラフにおける解析データ生成のための整理項目を示す説明図である。
【発明を実施するための形態】
【００２０】
本発明では、電動ドリルを用いて、例えば、土壌にアンカーを打ち込む際に、電動ドリルで消費される電流値を利用して、アンカーが打ち込まれた土壌から、アンカーを引き抜く際に必要となる引き抜き強度を予測するものであり、その予測に基づき、アンカーを打ち込む密度や、間隔を調整し、アンカーによって土壌表面に防草シートを確実に係止できるようにする。
以下、実施例に基づき、本発明を詳細に説明する。
【実施例１】
【００２１】
図１は本発明に係るアンカーの引き抜き強度の予測方法に用いられるシステムの実施例の構成を示す説明図、図２は図１のシステムによって打ち込まれたアンカーによる、防草シートの係止状態を示す部分断面図である。
【００２２】
まず、図１および図２に基づき、本発明に係るアンカーの引き抜き強度の予測方法に用いられるアンカーの打ち込みシステムについて説明する。
図中、１は打ち込みシステム、１０は電動ドリル、１１は予測処理装置、１１０はモニタ、１１１は操作パネル、２はアンカー、３は座金、４は防草シート、５は土壌である。
【００２３】
打ち込みシステム１は、電動ドリル１０に、外付けの予測処理装置１１を取り付けたものである。
電動ドリル１０は、基本的な機能が、例えば、通常の電動ドリルや、振動ドリルと同様の汎用の電動ドリルであって、少なくとも、打ち込み作業で消費される電流値を出力し得る出力端子を備えたものである。
このため、汎用の電動ドリルの構成や機能についての説明については省略する。
【００２４】
予測処理装置１１は、図示しない係止手段を備えたものであり、その係止手段を介して、電動ドリル１０の本体に直接取り付けられる。
また、予測処理装置１１は、モニタ１１０と、操作パネル１１１とを備え、さらに、電動ドリルの出力端子に接続される図示しない入力ラインを備える。
モニタ１１０には、予測処理装置１１の操作に必要なコントロール画面や、動作に応じた各種画面が表示される。
【００２５】
操作パネル１１１は、予測処理装置１１を作動させるための各種スイッチを備えた入力パネルである。
この予測処理装置１１の動作の詳細については、後述するが、操作パネル１１１から入力された設定情報や、各種指令情報に従って、入力ラインから入力された電流値に基づき、打ち込み位置に打ち込まれたアンカーの引き抜き強度を予測し、その予測結果をモニタ１１０に表示するものである。
【００２６】
電動ドリル１０の使用者は、この表示に基づき、引き抜き強度が弱いと判断されたアンカーには、近接して再度アンカーを打ち込むようにする。
アンカー２は、下端から土壌５に打ち込まれる、逆Ｌ字状の部材である。
座金３は、例えば樹脂製の円環状の部材であって、アンカー２の打ち込みに際し、土壌５の表面を覆うように配置された防草シート４の上に配置され、その中央の孔にアンカー２が貫通する。
【００２７】
座金３は、アンカー２の上端が防草シート４に直接食い込んで、防草シート４が破損することを防止する。
防草シート４は、土壌５から雑草などが生えることを防止するためのものであって、既に実用化されている汎用のシートである。
土壌５は、雑草などが生えたり、茂ったりすることを防止する必要がある施工対象である。
【００２８】
次に、図３に基づき、上記の打ち込みシステム１を使用して、アンカー２を土壌５に打ち込む方法について説明する。
図３は図１のシステムによるアンカーの打ち込みから予測結果の表示に至る説明するフローチャートである。
まず、電気ドリル１０に予測処理装置１１を取り付け、電気ドリル１０の出力端子に、予測処理装置１１に入力ラインを接続し、予測処理装置１１に対して電流値の入力を可能に、予測処理装置１１を電気ドリル１０に装着する（Ｓ１０１）。
【００２９】
次に、予測処理装置１１の操作パネル１１１を操作し、土壌５の条件、例えば、地盤種別を含む設定情報を入力する（Ｓ１０２）。
この設定情報は、地盤５の極端な強度や脆弱性に応じて、予測結果が一律に偏ることを防止するために、一連の作業の施工前に行うことが望ましいが、例えば、平均的な地盤に対する施工に対するノーマルモードをデフォルトに設定しておき、特異な地盤に対する施工時のみ入力するようにしてもよい。
（＊地盤情報の設定について、地盤情報の設定による予測処理に対する影響をもう少し具体的に説明したほうがよいと思います。例えば、標準的な範囲より平均的な強度が高いと思われる地盤の場合には、後述の予め設定された電流値を上げ、低い場合には、電流値を下げる、というような具体的な説明をご教示下さい。）
【００３０】
次に、電動ドリル１０のドリルチャックに、図１に示すように、アンカー２を装着する（Ｓ１０３）。
次に、土壌５の表面に敷かれた防草シート４上に、座金３を置き、座金３の中心孔にアンカー２の先端を押し当て、電動ドリル１０を作動させて、アンカー２を土壌５に打ち込む（Ｓ１０４）。
この打ち込み作業の結果、防草シート４は、図２に示されるように、座金３を介して、アンカー２によって土壌５の表面に固定される。
【００３１】
次に、予測処理装置１１による予測処理について説明する。
なお、以下の処理動作は、予測処理装置１１内に設けられた図示しない制御手段によって、予め定められたプログラムに応じて実行され、この予測処理装置１１は、入力された電流値、予測処理によって得られた結果などの各種情報を記録する図示しない記憶手段を有する。
【００３２】
既に説明した通り、予測処理装置１１は、電動ドリル１０で消費される電流値の入力を受ける。
この電流値は、打ち込みの要された時間に対応して計測され、予測処理装置１１内に記録される（Ｓ１０５）。
このため、電流値は、アンカーの打ち込みの開始から、終了にかけて計測されることになる。
【００３３】
計測された電流値は、図示しない記憶手段に、打ち込みの作業時間と対応して格納される。
アンカー２の打ち込み作業が終了したとき、以下の各値が、記憶手段に格納された情報に基づき、以下の算出、及び、情報の読み出しが実行され、引き抜き強度の予測が実行される（Ｓ１０６）。
【００３４】
なお、上記の算出等の少なくとも一部は、打ち込み作業と同時に、電動ドリル１０からの入力情報から直接取得してもよく、この場合、処理時間を短縮できる。
次に、図４に基づき、図３に示した予測処理について、具体的に説明する。
予測処理が開始されると、電動ドリル１０のモータの駆動が停止する終局時の電流のピーク値が読み出される。
また、アンカー２の打ち込み中、計測し、格納された電流値のうち、モータの駆動開始時を除いた電流値のうち、予め定められた電流値以上の電流値の累積値を計算し、高負荷累積値として取得する。
本実施例では、上記の予め定められた電流値は、例えば、３．０Ａとする。
【００３５】
なお、この電流値は、電動ドリルの種類や大きさ、出力などにより、変更されるものであって、電動ドリル１０に予測処理装置１１を装着したときに、操作パネル１１を介して入力を設定するようにしてもよく、また、電動ドリル１０に対する予測処理装置１１の接続したときに、電動ドリル１０から設定信号を受信するようにしてもよく、また、予測処理装置１１を、例えば、規定の電動ドリル１０に対応した専用品とした、または、予測処理装置を電動ドリル１０と一体化した場合には、設定不用の既定値としてもよい。
また、アンカー２の打ち込みの開始によって、電動ドリル１０のモータの駆動が開始したときから、終局までの間に計測された電流値を累積した全体累積値を取得する。
また、上記の予め定められた電流値である３．０Ａ以上の電流値の累積値、即ち、高負荷累積値が計測された時間を示す高負荷維持時間を取得する（Ｓ２０１）。
そして、上記の数値において、ピーク値をＡ、高負荷累積値をＢ、全体累積値をＣ、高負荷維持時間をＳとしたとき、下記式（１）によって、引き抜き強度の予測値Ｎを算出する（Ｓ２０２）。
【００３６】
【数１】
2015101920.tif 000004
【００３７】
算出された引き抜き強度の予測値Ｎが、予め定められた基準値、例えば、（具体的な数値をお知らせ下さい）以下の場合、モニタ１１０には、引き抜き強度不足を示す表示、例えば、「ＮＧ」が表示され、上記の基準値を超えた場合には、適正な引き抜き強度を示す表示、例えば、「ＯＫ」が表示される（Ｓ２０３）。
【００３８】
次に、上記の打ち込みシステム１によって得られた予測結果を用いたアンカー２の打ち込み方法について説明する。
この打ち込みシステム１を用いて、アンカー２を打ち込む場合、まず、防草シート４の敷設で汎用される標準的な間隔で打ち込むことを前提とする。
【００３９】
そして、アンカー２を打ち込むと、その都度、打ち込んだアンカー２ごとに、上記の予測処理によって、そのアンカー２の引き抜き強度が予測され、作業者は、直前に打ち込んだアンカー２に関する引き抜き強度の適否を、モニタ１１０の表示を介して認識する。
【００４０】
そして、アンカー２を打ち込んだ後、そのアンカー２の引き抜き強度が適正、即ち、モニタ１１０に「ＯＫ」が表示されたときには、予め定められた標準の間隔になるよう、次のアンカー２を打ち込む。
【００４１】
一方、アンカー２を打ち込んだ後、そのアンカー２の引き抜き強度が、予め定められた基準以下の場合、次のアンカー２は、既に打ち込まれたアンカー２に対し、標準の間隔よりも狭い間隔で打ち込むようにする。
この狭い間隔は、例えば、標準の間隔の半分とする。
【００４２】
具体的に説明すると、例えば、標準の間隔を１ｍとすると、狭い間隔を０．５ｍとなる。
このため、引き抜き強度が弱いアンカー２の周囲は、アンカー２の打ち込み密度が高まり、防草シート４の表面を強風が吹きぬけて、防草シート４を上方にめくり上げたり、引き剥がしたりする力が作用しても、引き抜き強度が弱いアンカー２の周辺では、アンカー２の１本当たりに作用する引き抜き力が、狭い間隔で打ち込まれた隣のアンカー２に分散される。
【００４３】
その結果、上記のシステム１を用いてアンカー２が打ち込まれた場合、防草シート４を全体として確実に土壌５の表面に係止できるようになる。
なお、例えば、矩形状の防草シート４上にアンカー２を打ち込む場合、一般的には、防草シート４の一角から、１辺に沿って、１列ずつ順番にアンカー２を打ち込むことになる。
【００４４】
１連の列の打ち込みが終わり、次列の打ち込みを始めるとき、前列と次列の間隔は、標準の間隔とする。
そして、次列も、前列と同様にアンカー２を打ち込み進めていく。
そして、次列のアンカー２に並行して位置する前列のアンカー２が、狭い間隔で打ち込まれている場合、前列のアンカー２と次列のアンカー２の中間に、結果的に、前記２本のアンカーとの間隔が狭い間隔となるアンカー２をもう一本打ち込み、アンカー２を打ち込む密度を高めることが推奨される。
【００４５】
また、上記の標準の間隔として、例えば、土壌の種類に応じて、予め定められた既定値、土壌の種類とは無関係の汎用の既定値、施工場所の一部で引き抜き試験を実施した結果に応じて設定された設定値など、施工環境に応じて自由に選択することが可能である。
また、上記の狭い間隔は、標準の間隔の半分でなくてもよく、標準の間隔より狭ければ、自由に設定できる。
【００４６】
次に、図５及び４を用い、上記の式（１）を特定するために実施した試験について説明する。
図５は図１のシステムによって、引き抜き強度が異なる３地点で得られた電流値の推移を示すグラフ、図６は図５のグラフにおける解析データ生成のための整理項目を示す説明図である。
【００４７】
まず、引き抜き強度が異なる３地点に、それぞれ、アンカー２を打ち込んだ際の電流値を測定した。
各地点の引き抜き強度は、０．５ｋＮ、１．１ｋＮ、３．２ｋＮであり、試験のために打ち込んだ各アンカー２に対し、汎用の引き抜き試験を実施して得た。
【００４８】
その測定結果は、図５に示されるとおりである。
これらのグラフから、アンカー２の打ち込みに要する時間が長い、または、電流値が大きいほど、打ち込み時の抵抗が大きくなって、引き抜き強度も同様に高くなる傾向があることがわかった。
【００４９】
そこで、これらのグラフに含まれる要素を、図６に示される以下の項目に整理し、これらの整理項目を引き抜き強度に対する説明変数として、相関関係を特定することとした。
Ａ：終局時ピーク値（Ａ）
Ｂ：電流値３．０Ａ以上の累積値（Ａ）
Ｃ：打ち込み開始から終局までの累積値（Ａ）
Ｔ：電流値３．０Ａ以上の時間（Ｓ）
【００５０】
上記を踏まえ、合計５１箇所で、図５の試験と同様に、電流値の推移と引き抜き強度を測定した。
そして、上記５１箇所で得られた試験結果を解析サンプルとして、上記の４つの説明変数に基づき、重回帰分析を実行し、上記の式（１）を特定した。
なお、この重回帰分析によって得られた係数は、次の表１の通りである。
【００５１】
【表１】
2015101920.tif 000005
【００５２】
そして、上記の解析サンプルを利用し、上記の式（１）によって予測された引き抜き強度の予測値と、真値である引き抜き強度の相関関係を検証したところ、その相関係数は、次の表２に示されるように、０．９３７となり、非常に高い相関を確認した。
【００５３】
【表１】
2015101920.tif 000006
【００５４】
上記実施例では、アンカーを打ち込む都度、打ち込んだアンカーの引き抜き強度を確認することができるようになり、また、不均質な土壌でも、アンカーを、防草シートを係止するために最適な密度で打ち込むことができるようになる。
【００５５】
また、アンカー１本ごとに、そのアンカーの引き抜き強度に関する情報が、作業者に対して客観的かつ一義的に、アンカーの打ち込み直後に提示されるので、作業者の熟練度や能力に左右されることなく、土壌に対する防草シートの適切な係止を簡単かつ確実に迅速に実行できるようになる。
【００５６】
また、上記実施例によって施工された防草シートは、耐風性に優れ、強風でも剥離したり、めくれ上がったりすることはほとんどなく、維持管理作業が極めて容易になり、維持管理コストを抑制できる。
【００５７】
なお、上記実施例において、用いられる電動ドリルは、どのようなタイプのものであってもよく、予測処理装置は、予め、電動ドリルと一体であってもよい。
また、電流のピーク値、高負荷累積値、全体累積値、高負荷維持時間の取得順序は、上記の実施例の記載順序でなくてもよい。
【００５８】
また、単に、電動ドリルで消費される電流値と、打ち込みに要された時間と対応して計測し、上記の電流値及び時間のうち、少なくとも一方が、予め定められた基準値よりも低い場合には、引き抜き強度が弱い、と予測するようにしてもよい。
また、アンカーが打ち込まれる対象は、土壌に限定されるものではない。
さらに、本発明は、本発明の範囲内で自由に設計変更し得るものであり、上記実施例に限定されるものではない。
【産業上の利用可能性】
【００５９】
本発明では、アンカーを打ち込む都度、打ち込んだアンカーの引き抜き強度を、迅速に予測するので、例えば、防草シートを効率的に土壌に対して、簡単かつ確実に係止でき、高品質な防草シートの敷設を、低コストで実施できる点で、利用可能性が高い。
【符号の説明】
【００６０】
１        打ち込みシステム
１０      電動ドリル
１１      予測処理装置
１１０    モニタ
１１１    操作パネル
２        アンカー
３        座金
４        防草シート
５        土壌である。
【図１】
2015101920.tif 000008
【図２】
2015101920.tif 000009
【図３】
2015101920.tif 000010
【図４】
2015101920.tif 000011
【図５】
2015101920.tif 000012
【図６】
2015101920.tif 000013